(57)【要約】【課題】認証コードの全桁のうちできるだけ少ない桁数から成る一部のコードを使用して認証を行うことができるようにする。【解決手段】認証コードのうち一部の桁（例えば上１桁）から成る第１のコードと、一部の桁とは異なる組み合わせの桁（例えば下３桁）から成る第２のコードとを記憶するコード記憶部２２と、ＩＣカード１０から読み取られた認証コードのうち上１桁のコードと第１のコードとを用いて医療従事者の認証を行う第１の認証処理部２４と、ＩＣカード１０から読み取られた認証コードのうち下３桁のコードと第２のコードとを用いて患者の認証を行う第２の認証処理部２５とを廊下灯３が備え、認証コードの上１の桁のコードを、認証コードが医療従事者用か患者用かを区別するとともに医療従事者について認証を行うために使用することにより、認証コードの一部の桁を患者ごとに異なるコードとする必要をなくす。【選択図】図２
2014233333.tif 000002
【特許請求の範囲】
【請求項１】
医療従事者および患者について認証コードを用いた認証に成功した場合にのみ廊下灯に患者情報を表示するようにしたナースコールシステムであって、
上記医療従事者および上記患者によって所持され、全桁から成る上記認証コードを記憶した認証コード記憶媒体と、
上記認証コード記憶媒体から読み取られた認証コードを用いて医療従事者および患者について認証を行う廊下灯とを備え、
上記廊下灯は、
上記認証コードのうち一部の桁から成る第１のコードと、上記一部の桁とは異なる組み合わせの桁から成る第２のコードとを記憶したコード記憶部と、
上記認証コード記憶媒体から読み取られた認証コードのうち上記一部の桁のコードと、上記コード記憶部に記憶されている上記第１のコードとに基づいて、上記医療従事者についての認証を行う第１の認証処理部と、
上記認証コード記憶媒体から読み取られた認証コードのうち上記一部の桁とは異なる組み合わせの桁から成るコードと、上記コード記憶部に記憶されている上記第２のコードとに基づいて、上記患者についての認証を行う第２の認証処理部とを備え、
上記認証コードのうち上記一部の桁のコードは、上記医療従事者用の認証コードおよび上記患者用の認証コードを区別するとともに、上記医療従事者について認証を行うために使用されることを特徴とするナースコールシステム。
【請求項２】
上記廊下灯は、上記認証コード記憶媒体から読み取られた認証コードのうち上記一部の桁のコードに基づいて、上記読み取られた認証コードが上記医療従事者用の認証コードか上記患者用の認証コードかを判定する認証コード判定部を更に備え、
上記第１の認証処理部は、上記認証コード判定部により上記医療従事者用の認証コードであると判定された場合に、上記認証コード記憶媒体から読み取られた認証コードのうち上記一部の桁のコードと、上記コード記憶部に記憶されている上記第１のコードとに基づいて、上記医療従事者についての認証を行い、
上記第２の認証処理部は、上記認証コード判定部により上記患者用の認証コードであると判定された場合に、上記認証コード記憶媒体から読み取られた認証コードのうち上記一部の桁とは異なる組み合わせの桁から成るコードと、上記コード記憶部に記憶されている上記第２のコードとに基づいて、上記患者についての認証を行うことを特徴とする請求項１に記載のナースコールシステム。
【請求項３】
上記廊下灯は、上記第１の認証処理部による認証が成功したか否かを判定する認証結果判定部を更に備え、
上記第２の認証処理部は、上記第１の認証処理部による認証が失敗したと上記認証結果判定部により判定された場合に、上記認証コード記憶媒体から読み取られた認証コードのうち上記一部の桁とは異なる組み合わせの桁から成るコードと、上記コード記憶部に記憶されている上記第２のコードとに基づいて、上記患者についての認証を行うことを特徴とする請求項１に記載のナースコールシステム。
【請求項４】
上記第１のコードは、上記医療従事者が属する診療科ごとに異なるコードで構成されることを特徴とする請求項１〜３の何れか１項に記載のナースコールシステム。
【請求項５】
上記第２のコードは、上記患者ごとに異なるコードで構成されることを特徴とする請求項１〜４の何れか１項に記載のナースコールシステム。
【発明の詳細な説明】
【技術分野】
【０００１】
本発明は、ナースコールシステムに関し、特に、認証コードを用いた認証に成功した場合にのみ患者情報を個別情報廊下灯に画面表示するように成されたナースコールシステムに用いて好適なものである。
【背景技術】
【０００２】
一般に、ナースコールシステムの個別情報廊下灯（以下、単に廊下灯という）は、多数の人が行き交う病棟廊下に向けて病室の出入口付近に設置される。この廊下灯には、患者の氏名や救護区分などの個人情報が表示される。従来、このような個人情報が本人の意に反して公開的に表示されるのを防止するために、ＲＦＩＤ等を用いたＩＣカードを廊下灯に接近ないし接触させることにより認証コードを読み取り、認証に成功した場合にのみ廊下灯の液晶画面に必要な患者情報を表示するようにした技術が提供されている（例えば、特許文献１参照）。
【０００３】
病院内でＩＣカードを使い認証を受ける必要があるのは、主には医師や看護師等の医療従事者である。ここで、医療従事者は、自分が所属する診療科に関する複数の病室において廊下灯に患者情報を表示させて見る必要がある。そのため、ＩＣカードに記憶しておく認証コードは、数多くの医療従事者ごとに異なるコードではなく、診療科ごとに異なるコードとしておけば十分である。この場合、医療従事者ごとに異なるコードを記憶する場合に比べて、必要な認証コードの桁数は少なくて済む。また、従来、認証コードの一部の桁のみを使用して認証を行う技術も知られている。
【０００４】
しかしながら、病院内でＩＣカードを使い認証を受ける必要があるのは、医療従事者の他に患者もいる。よって、認証コードの一部のみを使用して認証を行う場合でも、ある病室の患者が他の病室の廊下灯にて患者情報を見ることができないようにするためには、認証コードの一部を患者ごとに異なるコードとする必要があった。その結果、認証に使用する認証コードの一部の桁数が増大し、認証コードの一部の桁のみを使用する意義が薄れてしまうという問題があった。
【先行技術文献】
【特許文献】
【０００５】
【特許文献１】特開２００３−８８５６１号公報
【発明の概要】
【発明が解決しようとする課題】
【０００６】
本発明は、このような問題を解決するために成されたものであり、医療従事者および患者について認証コードを用いた認証に成功した場合にのみ廊下灯に患者情報を表示するようにしたナースコールシステムにおいて、できるだけ少ない桁数から成る一部のコードを使用して認証を行うことができるようにすることを目的とする。
【課題を解決するための手段】
【０００７】
上記した課題を解決するために、本発明では、認証コードのうち一部の桁から成る第１のコードと、一部の桁とは異なる組み合わせの桁から成る第２のコードとを廊下灯に記憶しておく。そして、認証コード記憶媒体から読み取られた認証コードのうち、一部の桁の値に基づいて医療従事者用の認証コードか患者用の認証コードかを区別するとともに、当該一部の桁から成るコードと廊下灯の第１のコードとを用いて医療従事者についての認証を行う一方、認証コード記憶媒体から読み取られた認証コードのうち一部の桁とは異なる組み合わせの桁から成るコードと廊下灯の第２のコードとを用いて患者についての認証を行うようにしている。
【発明の効果】
【０００８】
上記のように構成した本発明によれば、認証コードのうち一部の桁のコードについては、医療従事者用の認証コードか患者用の認証コードかを区別できるものであって、少なくとも医療従事者に関する認証を行えるものであれば良いので、認証コードの一部の桁を患者ごとに異なるコードとする必要がない。これにより、認証コードを用いて医療従事者および患者の認証を行う場合において、認証コードの一部の桁数の増大を抑制し、できるだけ少ない桁数から成る一部のコードを使用して認証を行うことができる。
【図面の簡単な説明】
【０００９】
【図１】第１および第２の実施形態によるナースコールシステムの全体構成例を示す図である。
【図２】第１の実施形態による廊下灯の機能構成例を示すブロック図である。
【図３】第１の実施形態による第１のコードおよび第２のコードの概念を説明するための図である。
【図４】医療従事者に配布されるＩＣカードの認証コードの一例を示す図である。
【図５】患者に配布されるＩＣカードの認証コードの一例を示す図である。
【図６】第１の実施形態による廊下灯の動作例を示すフローチャートである。
【図７】第２の実施形態による廊下灯の機能構成例を示すブロック図である。
【図８】第２の実施形態による廊下灯の動作例を示すフローチャートである。
【発明を実施するための形態】
【００１０】
（第１の実施形態）
以下、本発明の第１の実施形態を図面に基づいて説明する。図１は、第１の実施形態によるナースコールシステムの全体構成例を示す図である。図１に示すように、第１の実施形態によるナースコールシステムは、ナースコール親機１、制御機２、廊下灯３、壁埋込形子機４およびハンド形子機５を備えて構成されている。
【００１１】
ナースコール親機１は、患者（ナースコール子機）からの呼び出しに対する応答の操作または患者（ナースコール子機）の呼び出しの操作を行うためのものであり、例えばナースセンタに設置される。制御機２は、ナースコール親機１と廊下灯３との間に配置され、通話やデータの送受信に関する制御を行う。
【００１２】
廊下灯３は、病室の出入口付近に設置されている。廊下灯３は、その病室に入院している患者の情報を表示する液晶画面と、ＲＦＩＤ等を用いたＩＣカード１０（特許請求の範囲の認証コード記憶媒体に相当）から認証コードを読み取るリーダとを備えている。ＩＣカード１０は、医療従事者および患者によって所持され、全桁（本実施形態では説明の簡便のため、４桁とする）から成る認証コードを記憶している。廊下灯３は、医療従事者や患者が接近ないし接触させたＩＣカード１０から認証コードを読み取り、認証を行う。そして、認証に成功した場合にのみ液晶画面に必要な患者情報を表示するようになされている。
【００１３】
壁埋込形子機４は、病室の各ベッドサイドの壁に埋め込み設置される。この壁埋込形子機４は、廊下灯３に接続されている。ハンド形子機５は、壁埋込形子機４に接続される。壁埋込形子機４は、患者が医療従事者を呼び出すための呼出ボタン、患者が呼び出されたときに応答するための復旧ボタン、患者が医療従事者と会話を行う際に使用するマイクおよびスピーカ、ハンド形子機５を接続するための接続端子を備えている。ハンド形子機５は、患者が医療従事者を呼び出すための呼出ボタン、患者が医療従事者と会話を行う際に使用するマイクおよびスピーカを備えている。
【００１４】
図２は、第１の実施形態による廊下灯３の機能構成例を示すブロック図である。図２に示すように、廊下灯３は、その機能構成として、認証コード読取部２１、コード記憶部２２、認証コード判定部２３、第１の認証処理部２４、第２の認証処理部２５および表示制御部２６を備えている。
【００１５】
なお、認証コード読取部２１、認証コード判定部２３、第１の認証処理部２４、第２の認証処理部２５および表示制御部２６の各機能ブロックは、ハードウェア構成、ＤＳＰ（Digital Signal Processor）、ソフトウェアの何れによっても実現することが可能である。例えばソフトウェアによって実現する場合、上記各機能ブロックは、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１６】
認証コード読取部２１は、ＩＣカード１０から認証コードを読み取る。コード記憶部２２は、認証コードの全４桁のうち一部の桁から成る第１のコードと、一部の桁とは異なる組み合わせの桁から成る第２のコードとを記憶している。
【００１７】
図３は、第１のコードおよび第２のコードの概念を説明するための図である。図３（ａ）に示すように、第１のコードを構成する「一部の桁」は、例えば、全４桁から成る認証コードの最上位１桁とする。また、第２のコードを構成する「一部の桁とは異なる組み合わせの桁」は、一部の桁以外の桁を少なくとも含んで構成される。例えば、図３（ｂ）に示すように、認証コードの下３桁を第２のコードとする。あるいは、下３桁の中の何れか任意の１桁または２桁を第２のコードとしても良いし、認証コードの全４桁を第２のコードとしてもよい。
【００１８】
第１のコードは、医療従事者について認証を行うために使用するものである。具体的には、１桁から成る第１のコードは、医療従事者が属する診療科ごとに異なるコード（“１”〜“９”の値）で構成されている。ここで、第１のコードの値として“０”は用いない。“０”の値は、患者用の認証コードであることを示すために使用する。すなわち、ＩＣカード１０から読み取られた４桁の認証コードの上１桁の値が“１”〜“９”の何れかであれば、その認証コードは医療従事者用であり、上１桁の値が“０”であれば、その認証コードは患者用であると区別することができるようにする。
【００１９】
一方、第２のコードは、患者について認証を行うために使用するものであり、患者ごとに異なるコードで構成されている。例えば、認証コードの下３桁を第２のコードとした場合、“０００”〜“９９９”の値によって１０００人の患者を認証することが可能である。この例の場合、コード記憶部２２は、医療従事者用の第１のコードとして“１”〜“９”の何れかの値を記憶し、患者用の第２のコードとして“０００”〜“９９９”の何れかの値を記憶する。
【００２０】
認証コード判定部２３は、認証コード読取部２１によりＩＣカード１０から読み取られた認証コードのうち上１桁のコードに基づいて、当該読み取られた認証コードが医療従事者用か患者用かを判定する。上述したように、認証コード判定部２３は、ＩＣカード１０から読み取られた認証コードの上１桁の値が“１”〜“９”の何れかであれば、その認証コードは医療従事者用であると判定する。一方、認証コード判定部２３は、ＩＣカード１０から読み取られた認証コードの上１桁の値が“０”であれば、その認証コードは患者用であると判定する。
【００２１】
第１の認証処理部２４は、認証コード判定部２３により医療従事者用の認証コードであると判定された場合に、ＩＣカード１０から読み取られた認証コードのうち上１桁のコードと、コード記憶部２２に記憶されている第１のコード（“１”〜“９”の何れかの値）とに基づいて、医療従事者についての認証を行う。
【００２２】
ここで、図４に示すように、同じ診療科に属する複数の医療従事者には、上１桁のコードの値が同じ認証コードを記憶したＩＣカード１０が配布されている。これにより、例えばコード記憶部２２に記憶されている第１のコードの値が“１”の場合、上１桁のコードが“１”の値を持つ認証コードが記憶されたＩＣカード１０を所持する医療従事者（図４の例では診療科Ａの看護師ａ，ｂ）は、認証コードの上１桁を用いた認証にパスすることができる。
【００２３】
第２の認証処理部２５は、認証コード判定部２３により患者用の認証コードであると判定された場合に、ＩＣカード１０から読み取られた認証コードのうち下３桁のコードと、コード記憶部２２に記憶されている第２のコード（“０００”〜“９９９”の何れかの値）とに基づいて、患者についての認証を行う。
【００２４】
ここで、図５に示すように、個々の患者には、上１桁のコードの値が“０”で、下３桁の値が患者毎に異なる認証コードを記憶したＩＣカード１０が配布されている。これにより、例えばコード記憶部２２に記憶されている第２のコードの値が“００１”の場合、“０００１”の値を持つ認証コードが記憶されたＩＣカード１０を所持する患者（図５の例では患者ア）は、認証コードの下３桁を用いた認証にパスすることができる。
【００２５】
表示制御部２６は、第１の認証処理部２４または第２の認証処理部２５による認証に成功した場合、廊下灯３の液晶画面に患者情報を表示させる。ここで表示する患者情報は、廊下灯３の図示しないメモリに記憶しておいてもよいし、ナースコール親機１または制御機２に記憶しておいたものを取得するようにしてもよい。
【００２６】
図６は、上記のように構成した第１の実施形態による廊下灯３の動作例を示すフローチャートである。まず、認証コード読取部２１は、ＩＣカード１０から４桁の認証コードを読み取る（ステップＳ１）。認証コードが読み取られると、認証コード判定部２３は、当該読み取られた認証コードのうち上１桁のコードの値が“０”であるか否かを判定する（ステップＳ２）。
【００２７】
ここで、上１桁のコードの値が“０”ではないと判定された場合、その認証コードは医療従事者用ということになる。この場合、第１の認証処理部２４は、ＩＣカード１０から読み取られた認証コードのうち上１桁のコードと、コード記憶部２２に記憶されている第１のコードとに基づいて、医療従事者についての認証を行う（ステップＳ３）。第１の認証処理部２４は、その認証の結果を表示制御部２６に通知する。
【００２８】
一方、上記ステップＳ２で上１桁のコードの値が“０”であると判定された場合、その認証コードは患者用ということになる。この場合、第２の認証処理部２５は、ＩＣカード１０から読み取られた認証コードのうち下３桁のコードと、コード記憶部２２に記憶されている第２のコードとに基づいて、患者についての認証を行う（ステップＳ４）。第２の認証処理部２５は、その認証の結果を表示制御部２６に通知する。
【００２９】
表示制御部２６は、第１の認証処理部２４または第２の認証処理部２５から通知される認証の結果に基づいて、ステップＳ３またはステップＳ４の何れかで行われた認証に成功したか否かを判定する（ステップＳ５）。認証に成功したと判定された場合、表示制御部２６は、廊下灯３の液晶画面に患者情報を表示させる（ステップＳ６）。一方、認証に失敗したと判定された場合、表示制御部２６は液晶画面に患者情報を表示させない。これにより、図６に示すフローチャートの処理は終了する。
【００３０】
以上詳しく説明したように、第１の実施形態では、認証コードの一部の桁（例えば、上１桁）の値によって医療従事者用の認証コードか患者用の認証コードかを判定し、医療従事者用と判定した場合はその上１桁の値と廊下灯３の第１のコードとの照合によって医療従事者の認証を行う。一方、患者用と判定した場合は、上１桁とは異なる組み合わせの桁（例えば、下３桁）の値と廊下灯３の第２のコードとの照合によって患者の認証を行うようにしている。
【００３１】
このように構成した第１の実施形態によれば、認証コードのうち一部の桁のコードについては、医療従事者用の認証コードか患者用の認証コードかを区別できるものであって、少なくとも医療従事者に関する認証を行えるものであれば良いので、認証コードの一部の桁を患者ごとに異なるコードとする必要がない。これにより、医療従事者および患者の認証を４桁の認証コードに基づき行う場合に、認証に使用する一部の桁数の増大を抑制し、できるだけ少ない桁数から成る一部のコードを使用して認証を行うことができる。
【００３２】
（第２の実施形態）
次に、本発明の第２の実施形態を図面に基づいて説明する。ナースコールシステムの全体構成は、図１に示した第１の実施形態と同様である。図７は、第２の実施形態による廊下灯３の機能構成例を示すブロック図である。なお、この図７において、図２に示した符号と同一の符号を付したものは同一の機能を有するものであるので、ここでは重複する説明を省略する。
【００３３】
図７に示すように、第２の実施形態による廊下灯３は、その機能構成として、認証コード判定部２３の代わりに認証結果判定部２７を備えている。また、第２の実施形態による廊下灯３は、第２の認証処理部２５の代わりに第２の認証処理部２５’を備えている。
【００３４】
また、第２の実施形態において、第１のコードを構成する「一部の桁」は第１の実施形態と同様でよく、例えば認証コードの最上位１桁とする。一方、第２のコードを構成する「一部の桁とは異なる組み合わせの桁」は、第２の実施形態においては、第１のコードを構成する一部の桁（最上位１桁）を少なくとも含んで構成される。例えば、認証コードの全４桁を第２のコードとする。
【００３５】
認証結果判定部２７は、第１の認証処理部２４による医療従事者についての認証が成功したか否かを判定する。そして、その認証の結果を第２の認証処理部２５’および表示制御部２６に通知する。ここで、認証結果判定部２７は、認証に失敗したと判定した場合はその旨を第２の認証処理部２５’に通知し、認証に成功したと判定した場合はその旨を表示制御部２６に通知する。第２の認証処理部２５’は、第１の認証処理部２４による認証が失敗したと認証結果判定部２７にて判定された場合に、患者についての認証を行う。
【００３６】
すなわち、第２の実施形態では、認証コード読取部２１によりＩＣカード１０から認証コードが読み取られたときに、まずは第１の認証処理部２４による医療従事者についての認証を行う。すなわち、ＩＣカード１０から読み取られた認証コードの上１桁の値が、コード記憶部２２に記憶されている第１のコード（“１”〜“９”の何れかの値）と一致するか否かを判定する。
【００３７】
ここで、第１の認証処理部２４による認証に成功した場合、そのことが認証結果判定部２７から表示制御部２６に通知される。この通知を受けて、表示制御部２６は、廊下灯３の液晶画面に患者情報を表示させる。一方、第１の認証処理部２４による認証に失敗した場合、そのことが認証結果判定部２７から第２の認証処理部２５’に通知される。この通知を受けて、第２の認証処理部２５’は患者についての認証を行う。そして、この第２の認証処理部２５’による認証に成功した場合、表示制御部２６は、廊下灯３の液晶画面に患者情報を表示させる。
【００３８】
なお、第１の認証処理部２４による認証に失敗するケースとしては、ＩＣカード１０から読み取られた認証コードが医療従事者用ではあるが上１桁の値が第１のコードと一致しないケースと、ＩＣカード１０から読み取られた認証コードが患者用であるケース（すなわち、上１桁の値が“０”の場合）とがある。
【００３９】
ここで、第２の認証処理部２５’で使用する第２のコードが第１の実施形態と同様に下３桁で構成されていたとすると、下３桁だけでは医療従事者用の認証コードか患者用の認証コードかを区別することができないので、第１のコードが不一致で認証に失敗した医療従事者用の認証コードによって患者についての認証に成功してしまうといった不都合を生じる可能性がある。そこで、第２の実施形態では、上述したように、患者用の認証コードか否かを区別可能にする上１桁を含む桁の組み合わせによって第２のコードを構成する。
【００４０】
図８は、上記のように構成した第２の実施形態による廊下灯３の動作例を示すフローチャートである。まず、認証コード読取部２１は、ＩＣカード１０から４桁の認証コードを読み取る（ステップＳ１１）。認証コードが読み取られると、第１の認証処理部２４は、当該読み取られた認証コードのうち上１桁のコードと、コード記憶部２２に記憶されている第１のコードとに基づいて、医療従事者についての認証を行う（ステップＳ１２）。第１の認証処理部２４は、その認証の結果を認証結果判定部２７に通知する。
【００４１】
認証結果判定部２７は、第１の認証処理部２４から通知される認証の結果に基づいて、第１の認証処理部２４による認証が成功したか否かを判定する（ステップＳ１３）。ここで、第１の認証処理部２４による認証が成功したと判定された場合、表示制御部２６は、廊下灯３の液晶画面に患者情報を表示させる（ステップＳ１４）。
【００４２】
一方、第１の認証処理部２４による認証が失敗したと判定された場合、第２の認証処理部２５’は、ＩＣカード１０から読み取られた認証コードの全４桁のコードと、コード記憶部２２に記憶されている第２のコードとに基づいて、患者についての認証を行う（ステップＳ１５）。第２の認証処理部２５’は、その認証の結果を表示制御部２６に通知する。
【００４３】
表示制御部２６は、第２の認証処理部２５’から通知される認証の結果に基づいて、第２の認証処理部２５’による認証が成功したか否かを判定する（ステップＳ１６）。認証に成功したと判定された場合、表示制御部２６は、廊下灯３の液晶画面に患者情報を表示させる（ステップＳ１４）。一方、認証に失敗したと判定された場合、表示制御部２６は液晶画面に患者情報を表示させない。これにより、図８に示すフローチャートの処理は終了する。
【００４４】
以上詳しく説明したように、第２の実施形態では、ＩＣカード１０から認証コードが読み取られたときに、まずは認証コードの一部の桁（例えば、上１桁）から成るコードと廊下灯３の第１のコードとの照合によって医療従事者についての認証を行う。そして、その認証に失敗した場合には続けて、一部の桁とは異なる組み合わせの桁（例えば、全４桁）から成るコードと廊下灯３の第２のコードとの照合によって患者についての認証を行うようにしている。
【００４５】
このように構成した第２の実施形態においても第１の実施形態と同様に、認証コードのうち一部の桁のコードについては、医療従事者用の認証コードか患者用の認証コードかを区別できるものであって、少なくとも医療従事者に関する認証を行えるものであれば良いので、認証コードの一部の桁を患者ごとに異なるコードとする必要がない。これにより、医療従事者および患者の認証を４桁の認証コードに基づき行う場合に、認証に使用する一部の桁数の増大を抑制し、できるだけ少ない桁数から成る一部のコードを使用して認証を行うことができる。
【００４６】
なお、上記実施形態では、認証コードを全４桁で構成する例について説明したが、本発明はこの桁数には限定されない。また、上記実施形態では、認証コードの各桁を“０”〜“９”の数値により構成する例について説明したが、本発明はこれに限定されない。例えば、アルファベットや記号などを組み合わせて認証コードを構成するようにしてもよい。
【００４７】
また、上記実施形態では、医療従事者が属する診療科ごとに異なるコードによって第１のコードを構成する例について説明したが、本発明はこれに限定されない。例えば、病棟ごとに異なるコードとしてもよいし、医療従事者の数がそれほど多くなければ医療従事者ごとに異なるコードとしてもよい。
【００４８】
また、上記実施形態では、患者ごとに異なるコードによって第２のコードを構成する例について説明したが、本発明はこれに限定されない。例えば、病室ごとに異なるコードとしてもよい。病室ごとに異なるコードとすれば、第２のコードとして要する桁数も少なくすることができる。
【００４９】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００５０】
３  廊下灯
２１  認証コード読取部
２２  コード記憶部
２３  認証コード判定部
２４  第１の認証処理部
２５，２５’  第２の認証処理部
２６  表示制御部
２７  認証結果判定部
【図１】
2014233333.tif 000003
【図２】
2014233333.tif 000004
【図３】
2014233333.tif 000005
【図４】
2014233333.tif 000006
【図５】
2014233333.tif 000007
【図６】
2014233333.tif 000008
【図７】
2014233333.tif 000009
【図８】
2014233333.tif 000010